(57)【特許請求の範囲】
【請求項１】
細孔を多数有する風化珊瑚粒の前処理装置において、珊瑚粒出し入れ用の密閉蓋付きの真空タンク、該真空タンク内に直接又は間接的に設けられたものであって少なくともその底部又はその付近に洗浄水は通過させるが珊瑚粒は通過させないフィルタを有する珊瑚粒処理室、上記の真空タンク内の空気を排出する排気ポンプ、上記の真空タンクの内外を貫通する開閉自在の通気手段、上記の真空タンクの内外を貫通する開閉自在の通水手段、より構成されることを特徴とした塩分含有珊瑚粒の細孔内の塩抜き装置。
【請求項２】
細孔を多数有する風化珊瑚粒の前処理方法において、珊瑚粒出し入れ用の密閉蓋付きの真空タンク内に直接又は間接的に設けられたものであって少なくともその底部又はその付近に洗浄水は通過させるが珊瑚粒は通過させないフィルタを有する珊瑚粒処理室内に風化珊瑚粒を挿入し、この真空タンクを貫通する通気手段を閉じ、上記の真空タンク内の空気を排気ポンプで排出する一方で、この排気に前後し又は同時に上記の真空タンクの内外を貫通する開閉自在の通水手段にてその真空タンク内に注水し、その風化珊瑚の真空状態に近い細孔内にまでその洗浄水を浸透させて、その中の塩分が溶解した時点でその洗浄水を上記の通水手段より排水する洗浄工程を複数回繰り返しすること、より構成されることを特徴とした塩分含有珊瑚粒の細孔内の塩抜き方法。
【発明の詳細な説明】
【０００１】
【発明の属する技術分野】
本発明は、広くは風化珊瑚粒の利用の前処理に関するものであり、特に風化珊瑚粒を原料として各種の物質を製造するものに関するものである。就中、その風化珊瑚粒の細孔の内部に残留する残留物、特に塩分を除去する装置と方法に関するものである。
【０００２】
【従来の技術】
従来、熱帯の砂浜や海底に見られる砂状の風化珊瑚を利用した各種の製品が多くの分野で作られている。この場合、その風化珊瑚粒は海中から海岸に打ち上げられて出来たものである故に、塩分にまみれている。それで、塩分が残留しては好ましくない製品の製造のためには、その前処理としてその風化珊瑚粒を先浄水で洗浄する方法と装置が用いられている。
【０００３】
【発明が解決しようとする課題】
珊瑚は元来海で育った刺胞動物で個々の珊瑚は細孔を有しているものであって、珊瑚塊はその個々の珊瑚の集合体である。そして、その死後長期間、たとえ陸上で風化した珊瑚であってもその珊瑚塊の中心部、少なくともその個々の珊瑚の細孔内には多少の塩分を含んでいる。珊瑚は多孔質で、風化珊瑚を洗浄水でもまた洗剤を使用してもそのままでは少なくともその珊瑚粒の細孔の内部の塩分を完全に近く除去することは不可能である。分かり易く説明すると、仮にコブシ大の珊瑚を真水の中につけても、珊瑚は多孔質でありその細孔の内部に空気が沢山存在する。それゆえに、その珊瑚を水の中に入れても、その水がそのこぶし大の珊瑚の周囲から中心に向けてある程度は浸透してくることはくる。
【０００４】
しかし、そのこぶし大の珊瑚の中心部には洗浄水の進入を拒む空気が集まる。その上に、特にそのこぶし大の珊瑚を構成する個々の珊瑚粒の細孔内部にまではそこの空気の泡が邪魔をして水がしみ込むことは不可能である。それで、それ以上その洗浄水はその珊瑚の中には浸透できない。したがって、その珊瑚の中心部の塩分を取り除くことは不可能となる。このことは、その珊瑚塊が砕かれた細かい粒状のものであっても、その珊瑚粒の細孔は何割かは残り完全には無くならない故に、全く同様なことになる。珊瑚粒は多方面で利用されており、その塩分の残留が問題とならない分野での利用技術においてはそれが全く問題にならない。
【０００５】
ところが、珊瑚の用途が、カルシウム剤、健康食品、土壌改良用等で塩分の混入を好まない用途に使用するものにあっては、その珊瑚粒に塩分があればそれらには使用できない。それで、この塩分を除去する為にその珊瑚粒を２〜３日水に漬けて置く方法で塩分を除去をしている。しかし、これでは前述した通り珊瑚粒の中心部の塩分は除去できない。
【０００６】
完全な塩分除去の一つの方法としては大雑把には、真空タンクに風化珊瑚粒を入れ、真空タンクの蓋を閉め、真空ポンプで珊瑚粒の内部に含まれている空気を真空タンクの外に出して真空タンクの内部を真空にする。つぎに、真空ポンプのバルブを開いて真水を真空タンクの中に入れる。そして、その真空タンクの内部が真空となり、その為に数秒でその水がその珊瑚粒の中心部まで入る。さらに、再び洗浄水のバルブを閉めて、真空ポンプを働かして珊瑚粒に入っている水を排出する。そして、その珊瑚粒の内部が真空になった後に、再び洗浄水をその珊瑚粒の細孔の内部に入れるのである。
【０００７】
これを数回繰り返す事で、珊瑚粒の細孔の内部の塩分が除去出来る。この時、その洗浄水に少量の洗浄液を添加すれば、珊瑚粒が長い間海底にあった為に海草や海苔等むの匂いがその細孔の内部に残留する。しかし、これらの臭いもこの塩分除去時に洗浄することで臭いも除去できる。以上が多孔質の珊瑚粒の塩分除去方法である。以上の方法が望まれる。
【０００８】
【課題を解決するための手段】
本発明にかかる塩分含有珊瑚粒の細孔内の塩抜き装置と方法は、以上の問題点を解決するために、図１に示すブロックダイアグラムごとくに、真空タンクと排気ポンプを利用して、風化珊瑚粒をその真空タンク内に入れて、その真空タンク内の洗浄すべき風化珊瑚の細孔内部の空気を抜き、そこに洗浄水を浸透させて洗浄させるものとした。要するに、洗浄水が珊瑚に浸透することを邪魔する空気を排除するようにしたものである。すなわち、その珊瑚にまつわりつく邪魔な空気を取り除き真空状態にして、洗浄水が容易にその珊瑚に浸透する構成にしたものである。なお、通気手段は、通常上記の真空タンクへの洗浄水の注入出に使用される。そして、その真空処理時には閉の状態になる。
【０００９】
以下に、本発明にかかる塩分含有珊瑚粒の細孔内の塩抜き装置と方法の具体的な構成を詳細に記載する。最初に、本発明の請求項１に記載した発明の装置の構成を説明する。この発明は、細孔を多数有する風化珊瑚粒の前処理装置において、まず真空タンクがある。この真空タンクは、珊瑚粒出し入れ用の密閉蓋付きのものである。つぎに、珊瑚粒処理室がある。この珊瑚粒処理室は、上記の真空タンク内に直接又は間接的に設けられたものであって、少なくともその底部又はその付近に洗浄水は通過させるが珊瑚粒は通過させないフィルタを有するものである。そして、排気ポンプがある。この排気ポンプは、上記の真空タンク内の空気を排出するものである。その結果、その細孔内を真空に近い状態に排気せしめる。さらに、通気手段がある。この通気手段は、上記の真空タンクの内外を貫通する開閉自在のものである。最後に、通水手段がある。この通水手段は、上記の真空タンクの内外を貫通する開閉自在のものである。
【００１０】
つぎに、本発明にかかる塩分含有珊瑚粒の細孔内の塩抜き装置と方法の請求項２に記載した発明の方法の構成を説明する。この発明は、まず、細孔を多数有する風化珊瑚粒の前処理方法において、珊瑚粒出し入れ用の密閉蓋付きの真空タンク内に直接又は間接的に設けられたものであって、且つ少なくともその底部又はその底部付近に洗浄水は通過させるが珊瑚粒は通過させないフィルタを有する珊瑚粒処理室内に処理用の風化珊瑚粒を挿入する。つぎに、この真空タンクを貫通する通気手段を閉じる。そして、上記の真空タンク内の空気を排気ポンプで排出し真空状態に近い状態にする一方で、この排気に前後し又は同時に上記の真空タンクの内外を貫通する開閉自在の通水手段にてその真空タンク内に注水する。それで、その風化珊瑚の真空状態に近い細孔にまでその洗浄水を浸透させて、その細孔中の塩分が溶解した時点でその洗浄水を上記の通水手段より排水する洗浄工程を複数回繰り返しするものである。
【００１１】
【発明の実施の形態】
以下に、本発明にかかる塩分含有珊瑚粒の細孔内の塩抜き装置と方法の一般的な実施の形態を述べる。まず、細孔を多数有する風化珊瑚粒の前処理において、珊瑚粒出し入れ用の密閉蓋付きの真空タンク内の珊瑚粒用フィルタを有する珊瑚粒処理室内に布袋に入れた処理用の風化珊瑚粒を挿入する。つぎに、この真空タンクを貫通する通気手段を閉じる。
【００１２】
そして、上記の真空タンク内の空気を排気ポンプで排出して真空状態に近い状態にする。その一方で、この排気に前後し又は同時に上記の真空タンクの内外を貫通する開閉自在の通水手段にてその真空タンク内に注水する。それで、その風化珊瑚の細孔にまでその洗浄水を浸透させることができる。最後に、その細孔中の塩分が溶解した時点でその洗浄水を上記の通水手段より排水する洗浄工程を複数回繰り返す。
【００１３】
【実施例】
しかして、本発明にかかる塩分含有珊瑚粒の細孔内の塩抜き装置と方法をその具体的な実施例を、最初に基本的な例を用いて添付の図面と共に詳細に述べる。この発明は、細孔を多数有する風化珊瑚粒の前処理装置において、その作動時にその内部が真空になる真空タンクＴがある。この真空タンクＴは、珊瑚粒Ｃの出し入れ用の密閉蓋Ｌ付きのものである。つぎに、珊瑚粒Ｃを洗浄する珊瑚粒処理室Ｒがある。この珊瑚粒処理室Ｒは、上記の真空タンクＴ内に直接（図２を参照。その真空タンクＴの内壁とその珊瑚粒処理室Ｒは一体化）又は間接的（図１を参照。その真空タンクＴの内壁とその珊瑚粒処理室Ｒは一体化せず、その珊瑚粒処理室Ｒは独自の容器）に設けられたものである。そして、少なくともその底部又はその付近に洗浄水は通過させるが珊瑚粒Ｃは通過させないフィルタＦを有するものである。
【００１４】
そして、排気ポンプＰがある。この排気ポンプＰは、上記の真空タンクＴ内の空気を排出するものである。その結果、その細孔内を真空に近い状態に排気せしめる。そして、その細孔内に容易に洗浄水をしみこませるものである。さらに、通気手段ＡＭがある。この通気手段ＡＭは、上記の真空タンクＴの内外を貫通するものであって、バルブＶ１によって開閉自在になるのものであって、その真空タンクＴ内に洗浄水Ｗを注入するときその中の空気を排出し、その洗浄水Ｗを放出するときにその真空タンクＴ内に空気を注入するものである。最後に、通水手段ＷＭがある。この通水手段ＷＭは、上記の真空タンクＴの内外を貫通するものであって、バルブＶ２によって開閉自在になるのものである。
そして、排気ポンプがＰある。この排気ポンプＰは、上記の真空タンクＴ内の空気を排出するものである。さらに、通気手段ＡＭがある。この通気手段ＡＭは、上記の真空タンクＴの内外を貫通するものであって、バルブＶ１によって開閉自在になるのものであって、その真空タンクＴ内に洗浄水Ｗを注入するときその中の空気を排出し、その洗浄水Ｗを放出するときにその真空タンクＴ内に空気を注入するものである。最後に、通水手段ＷＭがある。この通水手段ＷＭは、上記の真空タンクＴの内外を貫通するものであって、バルブＶ２によって開閉自在になるのものである。
【００１５】
なお、図２に示すごとくに、バルブＶ３付きの補助通水手段ＷＳを設けると洗浄水Ｗの注入が早まり、さらには上記の通水手段ＷＭと共に水流が乱流してその洗浄効果がさらに上がる。
【００１６】
以上にして、その動作を説明する。まず、珊瑚粒Ｃの出し入れ用の密閉蓋Ｌ付きの真空タンクＴ内に設けられた珊瑚粒処理室内に風化珊瑚粒を挿入する。つぎに、この真空タンクＴを貫通する通気手段ＡＭを閉じる。そして、上記の真空タンクＴ内の空気を排気ポンプＰで排出し真空状態に近い状態にする。それで、その通水手段ＷＭにてその真空タンクＴ内に注水する（図２を参照）。それで、その風化珊瑚粒Ｃの細孔にまでその洗浄Ｗ水を浸透させて、その中の塩分を溶解させる。
【００１７】
なお、上記の排気の前に又は同時に通水させても良い。その後に、その洗浄水Ｗを上記の通水手段ＷＭより排水する。この洗浄工程を複数回繰り返しするものである。なお、洗浄に使用後の洗浄水Ｗは、ト゛レンＤを通じて上記の通水手段ＷＭより排出される。
【００１８】
しかして、その実施例をさらに発展させた例を以下に述べる。先ず、多孔質の中に有る空気を真空ポンプＴで除去し、次に真空状態の珊瑚粒Ｃの中に真水Ｗ（洗浄水）を入れ、真水が珊瑚粒Ｃの真空状態に近い細孔内に入ったら、真空タンクＴの真空度を序々に下げて、外気と同じ気圧になったら、真空タンクＴの中の珊瑚粒Ｃを取り出し図示にはない遠心分離機に入れ、珊瑚粒Ｃの中に含まれている水分Ｗを取り除き、水分を取り除いた珊瑚粒Ｃを再び真空タンクＴに入れ、真空ポンプＰで珊瑚粒Ｃの中の空気を取り除き真空状態の珊瑚粒Ｃに真水Ｗを入れ珊瑚粒Ｃに含まれている水分Ｗを遠心分離機で残留水分Ｗを除去する。この行為を数回繰り返す。さらに、この間に、図１に示すごとくに超音波の振動でその洗浄を助けるとその洗浄効果が上がる。なお、この振動は、超音波以外のものであっても良い。
【００１９】
さらに、本発明による他の実施例実施例を持って、その塩分除去作業手順について詳細に述べる。
１．  まず、珊瑚粒（片）Ｃを丈夫な綿の袋の中に入れ、その珊瑚粒Ｃを入れた袋を真空タンクＴの中に入れる。
２．  つぎに、真空タンクＴの蓋をし、真空を保つようにロックをする。
３
そして、洗浄水供給バルブＶ５を閉じ、真空バルブＶ４を開き、真空ポンプＰを作動させ、真空タンクＴの中に入れてある珊瑚粒（片）Ｃの細孔の中にある空気を取り除き真空状態にする（真空ポンプＰは電気掃除機と同じで、真空ポンプＰの後部から空気は抜ける）。
【００２０】
４．  その後、真空タンクＴ内が真空状態になったら真空パルブＶ４を閉じて、次に洗浄水供給バルブＶ５を開き、真空タンクＴ内に真水（洗浄水）Ｗを通水する。真空時にバルブＶ５を開くので、珊瑚粒Ｃの細孔の内部まで瞬時に真水（洗浄水）Ｗが入る。この場合は、上記の袋がフィルタになるので特別なフィルタは一切不用である。
５．  さらに、所定の量の真水（洗浄水）Ｗ（珊瑚粒（片）Ｃが水に全てつかる水位）が真空タンクＴに入ったら、洗浄水供給バルブＶ５を閉め、真空タンクＴのエア抜きバルブＶ６をゆっくり開け、真空度を徐々に下げ、気圧が外気圧とほぼ同じになったならば真空タンクＴの蓋のロックを外し、蓋を開け珊瑚粒（片）Ｃの入った袋を取り出す。
【００２１】
６．  そして、取り出した珊瑚粒（片）Ｃの袋を、袋ごと遠心分離機の中に入れて、その遠心分離機を作動させて珊瑚粒（片）Ｃの周囲及び内部にある水分Ｗを全て取り除く。
７．  最後に、遠心分離機で水分Ｗを除去した珊瑚粒（片）Ｃを乾燥機又は自然乾燥して、再び上記１〜６の作業を数回繰り返す。但し、７の乾燥作業の手抜きをして、６の作業から再び１の作業手順で行なう事もできる。以上が珊瑚粒（片）Ｃの塩分抜きの特に推奨する方法である。
【００２２】
【発明の効果】
本発明にかかる塩分含有珊瑚粒の細孔内の塩抜き装置と方をは、以上のごとくになしたゆえに、上記の課題を解決して以下のごとき多大な効果が生じた。すなわち、今まで不可能であった珊瑚粒の細孔の奥にこびりついた塩分を容易に溶解洗浄できるものとなった。
【図面の簡単な説明】
【図１】        本発明にかかる塩分含有珊瑚粒の細孔内の塩抜き装置と方法の一実施例のブロックダイアグラムを示したものである。
【図２】        本発明にかかる塩分含有珊瑚粒の細孔内の塩抜き装置の一実施例の側面断面図を示したもので、その洗浄水の注入前の状態である。
【図３】        図２のもののの一実施例の側面断面図を示したもので、その洗浄水の注入後の状態を示したものである。
【図４】        本発明にかかる塩分含有珊瑚粒の細孔内の塩抜き装置と方法の他の一実施例のブロックダイアグラムを示したものである。
【符号の説明】
AM  通気手段                          Ｒ  珊瑚粒処理室
Ｃ  珊瑚粒                            Ｔ  真空タンク
Ｆ  フィルタ                          Ｗ  洗浄水
Ｐ  排気ポンプ                        WM  通水手段
【図１】
0003643784.tif 000002
【図４】
0003643784.tif 000003
【図２】
0003643784.tif 000004
【図３】
0003643784.tif 000005